(57)【特許請求の範囲】
【請求項１】
所定の領域内でのＣＯガスの発生状況を監視するガス発生監視システムが備える携帯型ＣＯガス検出装置であって、周囲環境のＣＯガスを検知して、この検知したＣＯガスの濃度に応じた信号を出力するガスセンサと、前記ガスセンサによって出力される前記信号に基づいて、ＣＯガス濃度を検出するガス検出手段と、を有する携帯型ＣＯガス検出装置において、
前記所定の領域内における所在位置を示す位置情報を生成する位置情報生成手段と、
前記ガス検出手段による前記ＣＯガス濃度の検出毎に、該ＣＯガス濃度を示すＣＯガス濃度情報及び前記位置情報生成手段によって生成された前記位置情報を、前記ガス発生監視システムが備えるガス発生監視装置に送信する情報送信手段と、を有している
ことを特徴とする携帯型ＣＯガス検出装置。
【請求項２】
前記ガス検出手段によって検出された前記ＣＯガス濃度が予め定められた警報閾値以上のとき、警報を行う警報手段を有していることを特徴とする請求項１に記載の携帯型ＣＯガス検出装置。
【請求項３】
所定の領域内でのＣＯガスの発生状況を監視するガス発生監視システムが備えるガス発生監視装置であって、
前記ガス発生監視システムが備える携帯型ＣＯガス検出装置から送信された該携帯型ＣＯガス検出装置によって検出されたＣＯガス濃度を示すＣＯガス濃度情報、及び、該携帯型ＣＯガス検出装置の前記所定の領域内での所在位置を示す位置情報、を受信する情報受信手段と、
前記情報受信手段によって受信された前記ＣＯガス濃度情報に示されるＣＯガス濃度が予め定められたガス発生閾値以上であったときの回数を、前記情報受信手段によって受信された前記位置情報毎に集計するガス発生回数集計手段と、を備えている
ことを特徴とするガス発生監視装置。
【請求項４】
所定の領域内におけるＣＯガスの発生状況を監視するガス発生監視システムであって、
請求項１又は２に記載された携帯型ＣＯガス検出装置と、
請求項３に記載されたガス発生監視装置と、を備えている
ことを特徴とするガス発生監視システム。
【発明の詳細な説明】
【技術分野】
【０００１】
本発明は、一酸化炭素（ＣＯ）ガスの発生を検出する携帯型ＣＯガス検出装置及びガス発生監視装置並びにこれらを備えるガス発生監視システムに関するものである。
【背景技術】
【０００２】
ガスコンロやガスオーブンなどの複数のガス器具（即ち、一酸化炭素発生源）が配置された飲食店などの業務用厨房には、一酸化炭素（ＣＯ）中毒を防止するために、ＣＯガス警報器が設けられている。このようなＣＯガス警報器は、複数のガス器具毎に設置されることが理想ではあるところ、その分導入コストがかかってしまうのでその導入の動機が弱くなりがちであり、そのため、複数のガス器具毎ではなく、これら複数のガス器具が配置される業務用厨房の一部にしか設置されないことが多い。その場合、ＣＯガス警報器から離れた箇所でＣＯガスが発生したときに検出が遅れてしまうという問題があった。そして、このような問題を解決する技術が特許文献１に示されている。
【０００３】
特許文献１に示されるＣＯガス警報器は、携帯性を備えているので、業務用厨房に立ち入る個々の作業者などに携帯させることで、複数のガス器具毎にＣＯガス警報器を設けることなく、いち早く危険な濃度のＣＯガスの発生を検出して、ＣＯ中毒を防止することができた。
【先行技術文献】
【特許文献】
【０００４】
【特許文献１】特開２００８−１０２５７１号公報
【発明の概要】
【発明が解決しようとする課題】
【０００５】
しかしながら、ＣＯガスは、通風状態の悪化やコンロの劣化が進むことなどによってその濃度が徐々に高くなる傾向にあるところ、特許文献１に示されるようなＣＯガス警報器では、所定の警報濃度以上のＣＯガスが検出されたときに警報を行うので、警報が必要となる高濃度のＣＯガスが発生したときに初めてＣＯガスの発生を認識することになり、そのような警報状態になる前に、窓を開放したりコンロを新しいものに交換したりするなどの対策を講ずることができないという問題があった。そして、上記警報状態になるよりも前にＣＯガスの発生状況を把握するためには、例えば、集中監視装置などを設けて、各ＣＯガス警報器において検出される上記警報濃度未満のＣＯガスの発生を監視する必要があるが、そのような技術は存在せず、さらには、集中監視装置において、設置場所が固定されない携帯型のＣＯガス警報器の所在位置、即ち、ＣＯガス濃度の検出箇所を把握することができなかった。
【０００６】
本発明は、上記課題に係る問題を解決することを目的としている。即ち、本発明は、所定の領域内におけるＣＯガス濃度及び該ＣＯガス濃度の検出箇所を把握して、高濃度のＣＯガスが検出される前に対策を講ずることができる携帯型ＣＯガス検出装置、ガス発生監視装置、及び、ガス発生監視システムを提供することを目的としている。
【課題を解決するための手段】
【０００７】
請求項１に記載された発明は、上記目的を達成するために、図１の基本構成図に示すように、所定の領域内でのＣＯガスの発生状況を監視するガス発生監視システムが備える携帯型ＣＯガス検出装置であって、周囲環境のＣＯガスを検知して、この検知したＣＯガスの濃度に応じた信号を出力するガスセンサ３３と、前記ガスセンサ３３によって出力される前記信号に基づいて、ＣＯガス濃度を検出するガス検出手段２２ａと、を有する携帯型ＣＯガス検出装置において、前記所定の領域内での所在位置を示す位置情報を生成する位置情報生成手段２２ｂと、前記ガス検出手段２２ａによる前記ＣＯガス濃度の検出毎に、該ＣＯガス濃度を示すＣＯガス濃度情報及び前記位置情報生成手段によって生成された前記位置情報を、前記ガス発生監視システムが備えるガス発生監視装置に送信する情報送信手段２２ｃと、を有していることを特徴とする携帯型ＣＯガス検出装置である。
【０００８】
請求項２に記載された発明は、請求項１に記載された発明において、図１の基本構成図に示すように、前記ガス検出手段２２ａによって検出された前記ＣＯガス濃度が予め定められた警報閾値以上のとき、警報を行う警報手段２２ｄを有していることを特徴とするものである。
【０００９】
請求項３に記載された発明は、上記目的を達成するために、図１の基本構成図に示すように、所定の領域内でのＣＯガスの発生状況を監視するガス発生監視システムが備えるガス発生監視装置であって、前記ガス発生監視システムが備える携帯型ＣＯガス検出装置から送信された該携帯型ＣＯガス検出装置によって検出されたＣＯガス濃度を示すＣＯガス濃度情報、及び、該携帯型ＣＯガス検出装置の前記所定の領域内での所在位置を示す位置情報、を受信する情報受信手段７２ａと、前記情報受信手段７２ａによって受信された前記ＣＯガス濃度情報に示されるＣＯガス濃度が予め定められたガス発生閾値以上であったときの回数を、前記情報受信手段７２ａによって受信された前記位置情報毎に集計するガス発生回数集計手段７２ｂと、を備えていることを特徴とするガス発生監視装置である。
【００１０】
請求項４に記載された発明は、上記目的を達成するために、所定の領域内におけるＣＯガスの発生状況を監視するガス発生監視システムであって、請求項１又は２に記載された携帯型ＣＯガス検出装置と、請求項３に記載されたガス発生監視装置と、を備えていることを特徴とするガス発生監視システムである。
【００１１】
請求項１に記載された発明によれば、位置情報生成手段２２ｂが、所定の領域内での所在位置を示す位置情報を生成し、そして、ガス検出手段２２ａによってガスセンサ３３の出力する信号に基づいてＣＯガス濃度が検出されると、情報送信手段２２ｃが、該ＣＯガス濃度を示すＣＯガス濃度情報及び位置情報を、ガス発生監視システムが備えるガス発生監視装置に送信する。つまり、所定の領域内での所在位置を示す位置情報を生成して、ＣＯガス濃度を検出した際に、この検出したＣＯガス濃度を自己の所在位置とともに、ガス発生監視システムが備えるガス発生監視装置に送信する。
【００１２】
請求項２に記載された発明によれば、ガス検出手段２２ａによって検出されたＣＯガス濃度が予め定められた警報閾値以上のとき、警報手段２２ｄが警報を行う。
【００１３】
請求項３に記載された発明によれば、ガス発生監視システムが備える携帯型ＣＯガス検出装置から送信された該携帯型ＣＯガス検出装置によって検出されたＣＯガス濃度を示すＣＯガス濃度情報、及び、該携帯型ＣＯガス検出装置の所定の領域内での所在位置を示す位置情報、を情報受信手段７２ａが受信して、ガス発生回数集計手段７２ｂによって、ＣＯガス濃度情報に示されるＣＯガス濃度が予め定められたガス発生閾値以上であったときの回数を、位置情報毎に集計する。そして、集計された上記回数を位置情報に対応させてディスプレイやプリンタなどの表示手段に表示する。つまり、携帯型ＣＯガス検出装置から送られてくるＣＯガス濃度及び該携帯型ＣＯガス検出装置の所在位置の両方を受信して、このＣＯガス濃度が、ＣＯガスが発生したものとして監視を要する濃度以上で且つ警報を要する濃度より低く定められたガス発生閾値以上であったときの回数を、携帯型ＣＯガス検出装置の所在位置毎に集計する。そして、この集計した回数を所在位置に対応させて表示または印刷する。
【００１４】
請求項４に記載された発明によれば、ガス発生監視システムが、請求項１又は２に記載された１又は複数の携帯型ＣＯガス検出装置と、請求項３に記載されたガス発生監視装置と、を備えている。
【発明の効果】
【００１５】
以上説明したように、請求項１に記載された発明によれば、所定の領域内での所在位置を示す位置情報を生成し、そして、ＣＯガス濃度を検出した際に、この検出したＣＯガス濃度を自己の所在位置とともに、ガス発生監視システムが備えるガス発生監視装置に送信するので、ガス発生監視装置において、警報の必要のない濃度についてもＣＯガスの発生を検出及び監視でき、且つ、ＣＯガス濃度情報とともに送られる位置情報に基づいて、所定の領域内におけるＣＯガス濃度の検出箇所を特定（即ち、把握）することができ、高濃度のＣＯガスが検出される前に対策を講ずることができる。
【００１６】
請求項２に記載された発明によれば、検出されたＣＯガス濃度が予め定められた警報閾値以上のとき、警報を行うので、ＣＯガス濃度が事故のおそれのある警報濃度に高まったときに、ＣＯガスの発生を警報して作業者に知らせ、事故を未然に防ぐことができる。
【００１７】
請求項３に記載された発明によれば、携帯型ＣＯガス検出装置が送られてくるＣＯガス濃度及び該携帯型ＣＯガス検出装置の所在位置の両方を受信して、このＣＯガス濃度が、ＣＯガスが発生したものとして監視を要する濃度以上で且つ警報を要する濃度より低く定められたガス発生閾値以上であったときの回数を、携帯型ＣＯガス検出装置の所在位置毎に集計するので、この集計した回数を所在位置に対応させて表示手段に表示または印刷することによって、携帯型ＣＯガス検出装置の所在位置、即ち、所定の領域内での各箇所において、監視を要する濃度のＣＯガスがどの程度の頻度（回数）で発生しているかを把握することができ、そのため、当該領域内でのガス発生状況を監視することができ、高濃度のＣＯガスが検出される前に対策を講ずることができる。
【００１８】
請求項４に記載された発明によれば、ガス発生監視システムが、請求項１又は２に記載された携帯型ＣＯガス検出装置と、請求項３に記載されたガス発生監視装置と、を備えているので、警報の必要のない濃度についてもＣＯガスの発生を検出及び監視して、所定の領域内での各箇所において、監視を要する濃度のＣＯガスがどの程度の頻度（回数）で発生しているかを把握することができ、そのため、当該領域内でのガス発生状況を監視することができ、高濃度のＣＯガスが検出される前に対策を講ずることができる。
【図面の簡単な説明】
【００１９】
【図１】本発明の携帯型ＣＯガス検出装置、ガス発生監視装置、及び、ガス発生監視システムの基本構成を示す図である。
【図２】本発明のガス発生監視システムの概略構成を説明する図である。
【図３】図２のガス発生監視システムが備える携帯型ＣＯガス発生検出装置の概略構成図である。
【図４】図３の携帯型ＣＯガス発生検出装置のＣＰＵにおける本発明に係るガス濃度検出処理の一例を示すフローチャートである。
【図５】図２のガス発生監視システムが備えるガス発生監視装置の概略構成図である。
【図６】図５のガス発生監視装置のＲＡＭにおける位置情報とＣＯガスの発生回数との格納イメージを示す図である。
【図７】図５のガス発生監視装置のＣＰＵにおける本発明に係るガス発生状態監視処理の一例を示すフローチャートである。
【図８】図５のガス発生監視装置のプリンタによって印刷されるＣＯガスの発生回数の集計結果を示す棒グラフの一例を示す図である。
【発明を実施するための形態】
【００２０】
以下、本発明に係る携帯型ＣＯガス検出装置及びガス発生監視装置並びにガス発生監視システムの一実施形態について、図２〜図８を参照して説明する。
【００２１】
図２に示すように、ガス発生監視システム１は、ガスコンロやガスオーブンなどの複数のガス器具Ｇ（Ｇ１〜Ｇ４）が設置された飲食店などの業務用厨房（以下、厨房Ｋ）などにおいて用いられ、当該厨房Ｋ内、即ち、所定の領域内でのＣＯガスの発生状況を監視する。厨房Ｋには、複数の電波信号発信装置Ａ〜Ｃが設けられている。
【００２２】
複数の電波信号発信装置Ａ〜Ｃは、例えば、厨房Ｋの天井面に、電波信号発信装置Ａ、Ｂ、Ｃの順に略一列に等間隔で３つ配置されている。電波信号発信装置Ａ〜Ｃは、互いに異なる周波数（即ち、固有）の微弱な電波信号Ｓａ〜Ｓｃを発信する。電波信号発信装置Ａ〜Ｃから発信される電波信号Ｓａ〜Ｓｃは、後述する携帯型ＣＯガス検出装置１０において、受信強度（電界強度）が０以上且つ５００μＶ／ｍ未満で受信されるようにそれぞれの出力が定められている。
【００２３】
ガス発生監視システム１は、厨房Ｋ内に立ち入る作業者Ｈに携帯される子機としての携帯型ＣＯガス検出装置１０と、例えば、厨房Ｋの壁面などに設置される親機（集中管理装置）としてのガス発生監視装置６０と、を備えている。
【００２４】
まず、携帯型ＣＯガス検出装置１０について説明する。
【００２５】
携帯型ＣＯガス検出装置１０は、例えば、作業者Ｈの胸付近に取り付けられる小型の箱形のケース（図示なし）を備えており、このケースの前面及び側面には、その内部に雰囲気を取り込むための通気口が穿設されている。携帯型ＣＯガス検出装置１０は、このケース内部に、制御部２１と、メモリ３１と、無線通信部３２と、ガスセンサ３３と、警報ブザー３４と、電池３５と、を備えている。
【００２６】
制御部２１は、周知のマイクロコンピュータなどで構成されており、中央演算処理装置（ＣＰＵ）２２、ＲＯＭ２３、ＲＡＭ２４、タイマ２５、及び、図示しない外部インタフェース部を備えている。
【００２７】
このＣＰＵ２２は、携帯型ＣＯガス検出装置１０における各種制御を司り、ＲＯＭ２３に記憶されている各種制御プログラムにしたがって本実施形態に係る制御を含む各種の処理を実行する。ＲＯＭ２３は、前記制御プログラムやこの制御プログラムに参照されるパラメータなどの各種情報を記憶している。特に、ＲＯＭ２３は、ＣＰＵ２２を、ガス検出手段２２ａ、位置情報生成手段２２ｂ、情報送信手段２２ｃ、警報手段２２ｄ、などの各種手段として機能させるための制御プログラムを記憶している。そして、ＣＰＵ２２は、この制御プログラムを実行することで、前述した各種手段などとして機能する。ＲＡＭ２４は、ＣＰＵ２２が各種の処理を実行する上において必要なデータ、プログラム等が適宜記憶される。タイマ２５は、ＣＰＵ２２が任意の時間の計時を行うために用いられる周知の計時機構である。
【００２８】
メモリ３１は、例えば、ＥＥＰＲＯＭ（Ｅｌｅｃｔｒｉｃａｌｌｙ  Ｅｒａｓａｂｌｅ  Ｐｒｏｇｒａｍｍａｂｌｅ  ＲＯＭ）やフラッシュメモリなどの、電源断となってもデータを保持できる不揮発性メモリで構成されている。
【００２９】
このメモリ３１には、ガスセンサ３３から出力された電圧と雰囲気中のＣＯガス濃度との関係を示す、電圧−濃度変換テーブルが格納されている。また、メモリ３１には、ＣＯガス濃度の警報を行うための判定に用いられる警報閾値ＳＨが格納されている。本実施形態において、警報閾値ＳＨは４００ｐｐｍに設定されている。この警報閾値ＳＨの値は一例であって、例えば、血液中の一酸化炭素ヘモグロビン濃度ＣＯＨｂ（％）などに基づいて警報を行うときなどにはそれに応じた値が設定されるなど、携帯型ＣＯガス検出装置１０の使用形態等に応じて適宜定められる。
【００３０】
無線通信部３２は、制御部２１の外部インタフェース部を介してＣＰＵ２２と接続されており、ＣＰＵ２２の制御の下、共にケースに内蔵されたアンテナ３２ａから無線信号を発することにより、各種情報をガス発生監視装置６０に送信する。
【００３１】
ガスセンサ３３は、周囲環境（雰囲気）におけるＣＯガスを検知して、この検知したＣＯガスの濃度に応じた電圧（即ち、信号）を出力する周知の一酸化炭素ガスセンサである。ガスセンサ３３は、電池にて駆動可能なものであれば、特に原理は問わず、電気化学式、半導体式、接触燃焼式、熱線半導体式などの何れのものであってもよい。このガスセンサ３３を携帯型ＣＯガス検出装置１０のケース内に収容するに当たっては、雰囲気に十分に触れるように、ケースに穿たれた通気口に近接して配置する。ガスセンサ３３は、制御部２１の外部インタフェース部が備えるＡ／Ｄコンバータを介して、ＣＰＵ２２に接続されている。
【００３２】
警報ブザー３４は、パルス信号を印加することによって警報音を発する、周知の圧電式ブザーである。警報ブザー３４は、制御部２１が備える外部インタフェース部に設けられた出力ポートを介して、ＣＰＵ２２に接続されている。なお、このような警報ブザーに代えて、ＣＯガスが発生したことを通知する音声信号（例えば、「一酸化炭素ガスが検出されました」など）を生成する音声ＩＣ及びスピーカなどで構成されていてもよい。
【００３３】
電池３５は、周知の乾電池、又は、リチウムイオン電池やニッケル水素電池などの充電可能な二次電池、などを用いており、携帯型ＣＯガス検出装置１０は、この電池３５によって供給される電力で動作する。
【００３４】
電波信号受信部３６は、例えば、図示しないアンテナやデジタルシグナルプロセッサなどで構成されており、複数の電波信号発信装置Ａ〜Ｃから発信された電波信号Ｓａ〜Ｓｃを受信して、それぞれの電波信号Ｓａ〜Ｓｃについての受信強度（電界強度）を示す受信強度信号Ｒａ〜Ｒｃを出力する。電波信号受信部３６は、制御部２１の備える外部インタフェース部を介して、ＣＰＵ２２に接続されている。
【００３５】
上述した携帯型ＣＯガス検出装置１０のＣＰＵ２２における本発明に係る動作（ＣＯガス濃度検出処理）について、図４のフローチャートを参照して説明する。
【００３６】
携帯型ＣＯガス検出装置１０に電池３５が取り付けられたのち、図示しない電源スイッチがオンされるなどして電力が供給されると、ＣＰＵ２２が動作を開始し、所定の初期化処理を行った後、ステップＳ１１０に進む。
【００３７】
ステップＳ１１０では、ＣＯガスの検出間隔を調整するためにタイマ２５を用いて所定時間（例えば、１分間）の待ち処理を行った後に、電波信号受信部３６から出力される各電波信号Ｓａ〜Ｓｃについての電界強度を示す受信強度信号Ｒを受信（取得）する。そして、ステップＳ１２０に進む。
【００３８】
ステップＳ１２０では、ステップＳ１１０において受信した受信強度信号Ｒａ〜Ｒｃに基づいて、厨房Ｋにおける自己の所在位置を示す位置情報Ｐを生成する。
【００３９】
具体的には、各受信強度信号Ｒａ〜Ｒｃを、その大きさ毎に区分けされた受信レベルに分類する。本実施形態においては、受信強度信号Ｒが、０≦Ｒ＜１０μＶ／ｍのとき、受信レベルを「小」とし、受信強度信号Ｒが、１０≦Ｒ＜１００μＶ／ｍのとき、受信レベルを「中」とし、受信強度信号Ｒが、１００≦Ｒ＜５００μＶ／ｍのとき、受信レベルを「大」とする。
【００４０】
そして、各受信強度信号Ｒａ〜Ｒｃの受信レベルの組み合わせに応じて、位置情報Ｐを生成する。本実施形態においては、Ｒａ、Ｒｂ、Ｒｃの受信レベルが、
（１）「大」、「中」、「小」のとき、位置情報Ｐを「１」とし、
（２）「中」、「中」、「小」のとき、位置情報Ｐを「２」とし、
（３）「中」、「大」、「中」のとき、位置情報Ｐを「３」とし、
（４）「小」、「中」、「中」のとき、位置情報Ｐを「４」とし、
（５）「小」、「中」、「大」のとき、位置情報Ｐを「５」として生成する。
【００４１】
これら受信強度信号Ｒａ〜Ｒｃの大きさ（即ち、電波信号の強さ）は、各電波信号発信装置Ａ〜Ｃからの距離に比例し、このことから、位置情報Ｐが「１」のときは、所在位置が電波信号発信装置Ａの近くであることを示し、位置情報Ｐが「２」のときは、所在位置が電波信号発信装置Ａと電波信号発信装置Ｂとの間であることを示し、位置情報Ｐが「３」のときは、所在位置が電波信号発信装置Ｂの近くであることを示し、位置情報Ｐが「４」のときは、所在位置が電波信号発信装置Ｂと電波信号発信装置Ｃとの間であることを示し、位置情報Ｐが「５」のときは、所在位置が電波信号発信装置Ｃの近くであることを示している。表１に、これら組み合わせをまとめて示す。
【００４２】
【表１】
0005536554.tif 000002
【００４３】
そして、位置情報Ｐを生成した後、ステップＳ１３０に進む。
【００４４】
ステップＳ１３０では、ガスセンサ３３を駆動するとともに、Ａ／Ｄコンバータによってデジタル値に変換されたガスセンサ３３が出力した電圧を取得して、この取得した電圧をメモリ３１に格納された電圧−濃度変換テーブルに当てはめて、当該電圧によって示された雰囲気中のＣＯガス濃度ｄを検出（取得）する。そして、ステップＳ１４０に進む。
【００４５】
ステップＳ１４０では、ステップＳ１３０において取得したＣＯガス濃度ｄが、メモリ３１に格納された警報閾値ＳＨ以上であるか否かを判定して、ＣＯガス濃度ｄが警報閾値ＳＨ以上のとき、雰囲気中のＣＯガス濃度が警報を要する高濃度であるものとしてステップＳ１５０に進み（Ｓ１４０でＹ）、ＣＯガス濃度ｄが警報閾値ＳＨ未満のとき、警報が不要な濃度であるものとしてステップＳ１６０に進む（Ｓ１４０でＮ）。
【００４６】
または、ステップＳ１４０では、ステップＳ１３０において取得したＣＯガス濃度ｄに基づいて、血液中の一酸化炭素ヘモグロビン濃度ＣＯＨｂを算出するとともに、この一酸化炭素ヘモグロビン濃度ＣＯＨｂが所定の警報閾値以上であるか否かを判定するようにしてもよい。このようにすることで、一過性のＣＯガス発生による誤警報を回避することができる。
【００４７】
ステップＳ１５０では、警報ブザー３４を駆動して警報音を鳴動させる。そして、ステップＳ１６０に進む。
【００４８】
ステップＳ１６０では、ステップＳ１３０において検出したＣＯガス濃度ｄをＣＯガス濃度情報Ｄとして、ステップＳ１２０において生成した位置情報Ｐとともに、無線通信部３２を介して、ガス発生監視装置６０に送信する。そして、ステップＳ１１０に戻る。以降、上述した処理を繰り返す。なお、受信強度を取得して位置情報Ｐを生成する処理（Ｓ１１０、Ｓ１２０）と、ＣＯガス濃度を検出する処理（Ｓ１３０）と、において、これら処理の間隔を極力小さくすることが好ましい。このようにすることでＣＯガス濃度とその検出箇所とのずれが小さくなる。
【００４９】
上述したステップＳ１１０は、受信強度取得手段に相当し、ステップＳ１２０は、請求項中の位置情報生成手段に相当し、ステップＳ１３０は、請求項中のガス検出手段に相当し、ステップＳ１６０は、請求項中の情報送信手段に相当し、ステップＳ１５０は、請求項中の警報手段に相当する。
【００５０】
なお、本実施形態では、警報閾値ＳＨ以上のＣＯガス濃度ｄを検出したときに、警報ブザー３４を鳴動させて警報を行うものであったが、これに限定するものではない。例えば、携帯型ＣＯガス検出装置１０に、警報ブザー３４を備えず、また、上記フローチャートのステップＳ１４０、Ｓ１５０を省略して、携帯型ＣＯガス検出装置１０では警報を行わずに、ガス発生監視装置６０において、携帯型ＣＯガス検出装置１０から送信されるＣＯガス濃度情報Ｄに基づいて警報を行うようにしてもよい。このようにすることで、ＣＯガス濃度の判定を省略して、ＣＰＵ２２の処理を軽減できる。
【００５１】
次に、ガス発生監視装置６０について説明する。
【００５２】
ガス発生監視装置６０装置は、図５に示すように、制御部７１と、メモリ８１と、無線通信部８２と、プリンタ９１と、を備えている。このガス発生監視装置６０は、例えば、交流１００Ｖの商用電源ＰＳから供給される電力によって動作する。
【００５３】
制御部７１は、携帯型ＣＯガス検出装置１０と同様に、周知のマイクロコンピュータなどで構成されており、中央演算処理装置（ＣＰＵ）７２、ＲＯＭ７３、ＲＡＭ７４、タイマ７５、及び、図示しない外部インタフェース部を備えている。
【００５４】
このＣＰＵ７２は、ガス発生監視装置６０における各種制御を司り、ＲＯＭ７３に記憶されている各種制御プログラムにしたがって本実施形態に係る制御を含む各種の処理を実行する。ＲＯＭ７３は、前記制御プログラムやこの制御プログラムに参照されるパラメータなどの各種情報を記憶している。特に、ＲＯＭ７３は、ＣＰＵ７２を、情報受信手段７２ａ、ガス発生回数集計手段７２ｂ、表示制御手段７２ｃ、などの各種手段として機能させるための制御プログラムを記憶している。そして、ＣＰＵ７２は、この制御プログラムを実行することで、前述した各種手段として機能する。
【００５５】
ＲＡＭ７４は、ＣＰＵ７２が各種の処理を実行する上において必要なデータ、プログラム等が適宜記憶される。特に、ＲＡＭ７４には、携帯型ＣＯガス検出装置１０で検出されたＣＯガス濃度が、後述するガス発生閾値以上であったときの回数（発生回数Ｎ）を、そのＣＯガス濃度と同時に受信した携帯型ＣＯガス検出装置１０の所在位置を示す位置情報Ｐと関連づけて記憶するガス発生回数集計領域Ｍが設けられている。このガス発生回数集計領域Ｍは、日毎、周毎、月毎の集計用に３つ用意されている。ＲＡＭ７４に設けられたガス発生回数集計領域Ｍのイメージを、図６に示す。タイマ７５は、ＣＰＵ７２が時刻や日付を含む任意の時間の計時を行うために用いられる周知の計時機構である。
【００５６】
メモリ８１は、例えば、ＥＥＰＲＯＭやフラッシュメモリなどの、電源断となってもデータを保持できる不揮発性メモリで構成されている。
【００５７】
このメモリ８１には、ＣＯガスが発生したものとして監視を要する濃度以上で且つ警報を要する濃度より低く定められたガス発生閾値ＳＴが格納されている。本実施形態において、このガス発生閾値ＳＴは３００ｐｐｍに設定されている。このガス発生閾値ＳＴの値は一例であって、ガス発生監視装置６０の使用形態等に応じて適宜定められる。
【００５８】
無線通信部８２は、制御部７１の外部インタフェース部を介してＣＰＵ７２と接続されており、ＣＰＵ７２の制御の下、アンテナ８２ａによって無線信号を受けることにより、各種情報を携帯型ＣＯガス検出装置１０から受信する。
【００５９】
プリンタ９１は、周知のロール紙プリンタであり、制御部７１の外部インタフェース部を介してＣＰＵ７２と接続されている。プリンタ９１は、ＣＰＵ７２の制御の下、ガス発生状況を示す文字情報又は図形情報などをロール紙に印刷して表示する。プリンタ９１は、請求項中の表示手段に相当する。
【００６０】
上述したガス発生監視装置６０のＣＰＵ７２における本発明に係る動作（ガス発生状態監視処理）について、図７のフローチャートを参照して説明する。
【００６１】
ガス発生監視装置６０に商用電源ＰＳから電源が供給されると、ＣＰＵ７２が動作を開始し、所定の初期化処理を行った後、ステップＴ１１０に進む。
【００６２】
ステップＴ１１０では、携帯型ＣＯガス検出装置１０からＣＯガス濃度情報Ｄ及び位置情報Ｐの両方を受信するまで待ち（Ｔ１１０でＮ）、これらＣＯガス濃度情報Ｄ及び位置情報Ｐの両方を受信すると、ステップＴ１２０に進む（Ｔ１１０でＹ）。
【００６３】
ステップＴ１２０では、ステップＴ１１０において受信したＣＯガス濃度情報Ｄに示されるＣＯガス濃度が、メモリ８１に格納されたガス発生閾値ＳＴ以上であるか否かを判定し、ＣＯガス濃度がガス発生閾値ＳＴ以上であるとき、監視を要する濃度のＣＯガスが発生しているものとして、ステップＴ１３０に進み（Ｔ１２０でＹ）、ＣＯガス濃度がガス発生閾値ＳＴ未満であるとき、ＣＯガスの発生は無いものとして、ステップＴ１４０に進む（Ｔ１２０でＮ）。
【００６４】
ステップＴ１３０では、ＲＡＭ７４に設けられた日毎、周毎、月毎のガス発生回数集計領域Ｍにおいて、ステップＴ１１０で受信した位置情報Ｐに対応する発生回数Ｎを１増加する。そして、ステップＴ１４０に進む。
【００６５】
ステップＴ１４０では、タイマ７５を参照して、ガス発生回数集計領域Ｍに示されるガス発生状況の集計結果を表示する時刻であるか否かを判定する。集計結果を表示する時刻（例えば、毎日２２：００、毎週日曜日の２２：００、毎月２０日の２２：００など）であれば、ステップＴ１５０に進み（Ｔ１４０でＹ）、集計結果を表示する時刻でなければ、ステップＴ１１０に戻る（Ｔ１４０でＮ）。
【００６６】
ステップＴ１５０では、ガス発生回数集計領域Ｍに示されるガス発生状況の集計結果をプリンタ９１に送信して、ロール紙に印刷して表示する。そして、集計結果の表示に用いたガス発生回数集計領域Ｍの各発生回数Ｎをクリアして、ステップＴ１１０に戻る。以降、上述した処理を繰り返す。
【００６７】
上述したステップＴ１１０は、請求項中の情報受信手段に相当し、ステップＴ１３０は、請求項中のガス発生回数集計手段に相当し、ステップＴ１５０は、表示制御手段に相当する。
【００６８】
次に、上述したガス発生監視システム１における本発明に係る動作の一例について、説明する。
【００６９】
ガス発生監視システム１が備える携帯型ＣＯガス検出装置１０は、厨房Ｒに立ち入る作業者Ｈに携帯され、厨房Ｒ内に設置された各電波信号発信装置Ａ〜Ｃから発信される電波信号Ｓａ〜Ｓｃにおける受信強度に基づいて、自己の所在位置である位置情報Ｐを生成する（Ｓ１１０、Ｓ１２０）。そして、厨房Ｒ内の雰囲気中のＣＯガス濃度の検出動作を行い（Ｓ１３０）、この検出したＣＯガス濃度が警報の必要な高濃度であれば警報を発する（Ｓ１５０）。また、この検出したＣＯガス濃度を示すＣＯガス濃度情報Ｄを生成した位置情報Ｐとともに、ガス発生監視装置６０に送信する（Ｓ１６０）。
【００７０】
ガス発生監視装置６０は、ＣＯガス濃度情報Ｄ及び位置情報Ｐの両方を受信して（Ｔ１１０）、この受信したＣＯガス濃度情報Ｄに示されるＣＯガス濃度が、監視を要する濃度以上であれば、同時に受信した位置情報Ｐ、即ち、この位置情報Ｐに示される厨房Ｋの箇所においてＣＯガスが発生したものとして、当該箇所でのＣＯガスの発生回数Ｎとして集計する（Ｔ１３０）。そして、予め定められた時刻になると、集計したＣＯガスの発生回数をプリンタ９１に印刷して表示する（Ｔ１５０）。
【００７１】
例えば、携帯型ＣＯガス検出装置１０において、電波信号発信装置Ａ〜Ｃが発する電波信号Ｓａ〜Ｓｃを受信して、それぞれの受信強度信号Ｒａ〜Ｒｃが、５０μＶ／ｍ、６０μＶ／ｍ、３μＶ／ｍ、であったとすると、Ｒａ、Ｒｂ、Ｒｃの受信レベルが「中」、「中」、「小」となり、位置情報Ｐとして、「２」が生成される。そして、その周囲のＣＯガス濃度を検出して、検出したＣＯガス濃度が１２０ｐｐｍのとき、警報ブザー３４を鳴動させることなく、ＣＯガス濃度情報Ｄ「１２０ｐｐｍ」及び位置情報Ｐ「２」をガス発生監視装置６０に送信する。ガス発生監視装置６０では、これらＣＯガス濃度情報Ｄ及び位置情報Ｐの両方を受信すると、ＣＯガス濃度情報Ｄに示されるＣＯガス濃度をガス発生閾値ＳＴと比較して、このＣＯガス濃度（１２０ｐｐｍ）がガス発生閾値ＳＴ未満であると判定し、集計動作は行わずに、次のＣＯガス濃度情報Ｄ及び位置情報Ｐの受信を待つ。
【００７２】
また、携帯型ＣＯガス検出装置１０において、電波信号発信装置Ａ〜Ｃが発する電波信号Ｓａ〜Ｓｃを受信して、それぞれの受信強度信号Ｒａ〜Ｒｃが、５０μＶ／ｍ、２００μＶ／ｍ、８０μＶ／ｍ、であったとすると、Ｒａ、Ｒｂ、Ｒｃの受信レベルが「中」、「大」、「中」となり、位置情報Ｐとして、「３」が生成される。そして、その周囲のＣＯガス濃度を検出して、検出したＣＯガス濃度が３５０ｐｐｍのとき、警報ブザー３４を鳴動させることなく、ＣＯガス濃度情報Ｄ「３５０ｐｐｍ」及び位置情報Ｐ「３」をガス発生監視装置６０に送信する。ガス発生監視装置６０では、これらＣＯガス濃度情報Ｄ及び位置情報Ｐの両方を受信すると、ＣＯガス濃度情報Ｄに示されるＣＯガス濃度をガス発生閾値ＳＴと比較して、このＣＯガス濃度（３５０ｐｐｍ）がガス発生閾値ＳＴ以上であると判定し、ガス発生回数集計領域Ｍにおける位置情報Ｐに対応する発生回数Ｎを１増加させる。
【００７３】
そして、ガス発生監視装置６０では、ＣＯガスの発生回数の集計結果を表示する時間、例えば、毎日２２：００、毎週日曜日の２２：００、又は、毎月２０日の２２：００になると自動的に、図８に示すように、日毎、周毎又は月毎に用意された各ガス発生回数集計領域Ｍに集計されたＣＯガスの発生回数Ｎを位置情報Ｐ毎に示した棒グラフとして、ロール紙に印刷する。
【００７４】
図８のグラフから、位置情報Ｐ「３」におけるＣＯガスの発生回数Ｎが最も多く、その次に位置情報Ｐ「２」におけるＣＯガスの発生回数Ｎが多いことが判り、これにより、図２に示す厨房Ｒにおいて電波信号発信装置Ｂ付近で且つ電波信号発信装置Ａ寄りの箇所にＣＯガスの発生源が存在することが判る。そして、厨房Ｒにおける複数のガス器具Ｇの配置から、当該箇所に設置されたガス器具Ｇ２でＣＯガスが発生しているものと推定できる。そこで、このガス器具Ｇ２のメンテナンス（例えば、交換又は新たな換気扇の設置など）を行うことで、ＣＯ中毒事故が発生する以前に対策を講ずることができる。
【００７５】
以上説明したように、本実施形態の携帯型ＣＯガス検出装置１０では、電波受信信号部３６が、厨房Ｋ内に互いに間隔をあけて配置された複数の電波信号発信装置Ａ〜Ｃから発信された、これら複数の電波信号発信装置Ａ〜Ｃ毎に固有の電波信号Ｓａ〜Ｓｃをそれぞれ受信すると、ＣＰＵ２２が、受信した電波信号Ｓａ〜Ｓｃのそれぞれについて受信強度信号Ｒａ〜Ｒｃを取得して、これら受信強度信号Ｒａ〜Ｒｃに基づいて、前記領域内での所在位置を示す位置情報Ｐを生成する。そして、ＣＰＵ２２によってガスセンサ３３の出力する信号に基づいてＣＯガス濃度が検出されると、該ＣＯガス濃度を示すＣＯガス濃度情報Ｄ及び位置情報Ｐを、ガス発生監視装置６０に送信する。つまり、複数の電波信号発信装置Ａ〜Ｃから発信された電波信号Ｓａ〜Ｓｃに基づいて、厨房Ｋ内での所在位置を示す位置情報Ｐを生成し、そして、ＣＯガス濃度を検出した際に、この検出したＣＯガス濃度（ＣＯガス濃度情報Ｄ）及び自己の所在位置（位置情報Ｐ）を、ガス発生監視装置６０に送信する。
【００７６】
また、検出されたＣＯガス濃度が予め定められた警報閾値ＳＨ以上のとき、ＣＰＵ２２が警報を行う。
【００７７】
また、本実施形態のガス発生監視装置６０では、携帯型ＣＯガス検出装置１０から送信された該携帯型ＣＯガス検出装置１０によって検出されたＣＯガス濃度を示すＣＯガス濃度情報Ｄ、及び、該携帯型ＣＯガス検出装置１０の厨房Ｋ内での所在位置を示す位置情報Ｐ、をＣＰＵ７２が受信して、ＣＯガス濃度情報Ｄに示されるＣＯガス濃度が予め定められたガス発生閾値ＳＴ以上であったときの回数を、位置情報Ｐ毎に集計する。そして、ＣＰＵ７２が、集計された上記回数をプリンタ９１に印刷する。つまり、携帯型ＣＯガス検出装置１０から送られてくるＣＯガス濃度及び該携帯型ＣＯガス検出装置１０の所在位置を受信して、このＣＯガス濃度が、ＣＯガスが発生したものとして監視を要する濃度以上で且つ警報を要する濃度より低く定められたガス発生閾値ＳＴ以上であったときの回数、即ち、監視を要する濃度のＣＯガスの発生回数を、携帯型ＣＯガス検出装置１０の所在位置毎に集計する。そして、この集計した回数を所在位置毎の棒グラフとして印刷（表示）する。
【００７８】
以上説明したように、本発明によれば、複数の電波信号発信装置Ａ〜Ｃから発信された電波信号Ｓａ〜Ｓｃに基づいて、厨房Ｋ内での所在位置を示す位置情報Ｐを生成し、そして、ＣＯガス濃度を検出した際に、この検出したＣＯガス濃度（ＣＯガス濃度情報Ｄ）及び自己の所在位置（位置情報Ｐ）を、ガス発生監視装置６０に送信するので、ガス発生監視装置６０において、警報の必要のない濃度についてもＣＯガスの発生を検出及び監視でき、且つ、ＣＯガス濃度情報Ｄとともに送られる位置情報Ｐに基づいて、所定の領域内におけるＣＯガス濃度の検出箇所を特定（即ち、把握）することができ、高濃度のＣＯガスが検出される前に対策を講ずることができる。
【００７９】
また、検出されたＣＯガス濃度が予め定められた警報閾値ＳＨ以上のとき、警報を行うので、ＣＯガス濃度が事故のおそれのある警報濃度に高まったときに、ＣＯガスの発生を警報して作業者に知らせ、事故を未然に防ぐことができる。
【００８０】
また、携帯型ＣＯガス検出装置１０から送られてくるＣＯガス濃度及び該携帯型ＣＯガス検出装置１０の所在位置を受信して、このＣＯガス濃度が、ＣＯガスが発生したものとして監視を要する濃度以上で且つ警報を要する濃度より低く定められたガス発生閾値ＳＴ以上であったときの回数、即ち、監視を要する濃度のＣＯガスの発生回数を、携帯型ＣＯガス検出装置１０の所在位置毎に集計するので、この集計した回数を所在位置に対応させて印刷（表示）することによって、携帯型ＣＯガス検出装置１０の所在位置、即ち、厨房Ｋ内での各箇所において、監視を要する濃度のＣＯガスがどの程度の頻度（回数）で発生しているかを把握することができ、そのため、当該厨房Ｋ内でのガス発生状況を監視することができ、高濃度のＣＯガスが検出される前に対策を講ずることができる。
【００８１】
本実施形態においては、厨房Ｋ内での各箇所における、監視を要する濃度のＣＯガスの発生回数を集計して、所定の時刻にプリンタ９１において印刷するものであったが、これに限定するものではない。例えば、ガス発生監視装置６０に周知の液晶ディスプレイ装置を備えて、厨房Ｋの平面視を模式的に表す図形（例えば、長方形）を表示するとともに、この図形上における位置情報Ｐに対応する箇所を、該位置情報Ｐでの発生回数Ｎに応じた色で表示するようにしてもよい。例えば、発生回数Ｎが０のときは白色、発生回数が１〜５のときは黄色、発生回数６〜１５のときは赤色などにして当該箇所を表示する。このようにすることで、リアルタイムにＣＯガスの発生状況を監視できる。
【００８２】
また、本実施形態においては、ＣＯガス濃度を、雰囲気中における割合（ｐｐｍ）で検出するものであったが、これに限らず、例えば、ＣＯガス濃度を、血液中の一酸化炭素ヘモグロビン濃度（ＣＯＨｂ）に換算して検出するものであっても良い。
【００８３】
また、本実施形態においては、位置情報Ｐを、各電波信号発信装置Ａ〜Ｃから発信される電波信号Ｓａ〜Ｓｂの受信強度に基づいて生成するものであったが、これに限らず、例えば、携帯型ＣＯガス検出装置１０に、加速度センサを備えて、この加速度センサによって検知された加速度、移動方向、移動時間などに基づいて位置情報Ｐを生成するなど、本発明の目的に反しない限り、自己の所在位置を示す位置情報Ｐの生成方法は任意である。
【００８４】
また、本実施形態においては、３つの電波信号発信装置Ａ〜Ｃを一列に並べるものであったが、これに限らず、４つ以上の電波信号発信装置を用いてもよく、さらにこれら電波信号発信装置を一列（一次元）ではなく平面（二次元）に配置してもよい。
【００８５】
なお、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００８６】
１        ガス発生監視システム
１０      携帯型ＣＯガス検出装置
２２      ＣＰＵ（ガス検出手段、位置情報生成手段、情報送信手段、警報手段）
３１      メモリ
３３      ガスセンサ
３６      電波信号受信部
６０      ガス発生監視装置
７２      ＣＰＵ（情報受信手段、ガス発生集計手段）
８１      メモリ
９１      プリンタ（表示手段）
Ａ、Ｂ、Ｃ    電波信号発信装置
Ｋ        厨房（所定の領域）
【図１】
0005536554.tif 000003
【図２】
0005536554.tif 000004
【図３】
0005536554.tif 000005
【図４】
0005536554.tif 000006
【図５】
0005536554.tif 000007
【図６】
0005536554.tif 000008
【図７】
0005536554.tif 000009
【図８】
0005536554.tif 000010